【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
都市環境における物品の流通のための地下流通システム（１）であって、
少なくとも５ｍの深さにおいて、既存の地上建物（Ｂ）および／またはインフラ（Ｉ）の基礎の下に延在する、少なくとも１つのループ（７）を形成する少なくとも１つのマイクロトンネル（２）であって、その輸送が自動化されている物品のコンテナが一定方向に循環する、少なくとも１つのマイクロトンネル（２）と、
前記ループに据え付けられた、地上とやりとりする複数の交換ステーション（４；６）であって、コンテナを前記マイクロトンネル（２）まで降下させ、前記コンテナが前記マイクロトンネル内で輸送された後に再び上昇させるシャフト（１０）を各々が備える複数の交換ステーション（４）と、
を備える、地下流通システム（１）。
【請求項２】
前記交換ステーションは、複数のコンテナ（３）を地上またはマイクロトンネルへと同時に輸送するように構成される、請求項１に記載のシステム。
【請求項３】
前記交換ステーションは、前記コンテナ（３）を前記マイクロトンネルと地上との間でループ状に輸送するための手段（１１）を備える、請求項１または２に記載のシステム。
【請求項４】
少なくとも１つの交換ステーション（４；６）は、特に、コンテナが輸送する前記物品の地上取り上げを前記荷積みユニットが待っている間に、前記コンテナ（３）を保管するように構成され、前記保管は、対応する前記シャフト（１０）内において好適になされる、請求項１から３のいずれか一項に記載のシステム。
【請求項５】
前記マイクロトンネル内を循環する前記コンテナ（３）を輸送するためのシャトル（１７）、好ましくは自己推進式のシャトルを備える、請求項１から４のいずれか一項に記載のシステム。
【請求項６】
前記コンテナ（３）は、前記マイクロトンネルにおいて自律的に移動することができるように自己推進式である、請求項１から４のいずれか一項に記載のシステム。
【請求項７】
前記シャトルまたは前記コンテナは、自律的に動力供給され得るように電池が装備される、請求項５または６に記載のシステム。
【請求項８】
前記シャトルまたは前記コンテナは、特にマイクロトンネル内でのそれらの行程の間に、別個のまたは直線状の再充電ターミナルによって再充電される、請求項７に記載のシステム。
【請求項９】
前記シャトルまたは前記コンテナは、相互に平行でない回転軸の周りに回転する車輪（１８）、好ましくは前記マイクロトンネルの壁に直接的に乗る車輪を備え、前記シャトルまたは前記コンテナは、好ましくは前記シャトルまたは前記コンテナを前記マイクロトンネルの下方部分において心出しするための自動システムを有する、請求項５から８のいずれか一項に記載のシステム。
【請求項１０】
前記シャトル（７）は、断面において、前記マイクロトンネルの全体形状を少なくとも部分的に反映する全体形状を有し、特に、前記マイクロトンネルの壁と同心であり、好ましくはアーチ形の、少なくとも１つのコンテナを受け入れるためのクレードル（１９）を備える、請求項５から９のいずれか一項に記載のシステム。
【請求項１１】
前記コンテナ（３）は、円形の全体形状の断面を有する、請求項１から１０のいずれか一項に記載のシステム。
【請求項１２】
前記マイクロトンネル（２）は、円形の全体形状の断面を有する、請求項１から１１のいずれか一項に記載のシステム。
【請求項１３】
前記マイクロトンネル（２）は、特に２．５ｍから３．５ｍの間の長さで、１５０ｍｍから５００ｍｍの間の壁厚の、好ましくは少なくとも５００メートルトンのボーリング推力に耐えるように構成された、順々に組み立てられる区域を備える、請求項１から１２のいずれか一項に記載のシステム。
【請求項１４】
前記マイクロトンネルは、組み立てられたアーチ形区分を備える、請求項１から１２のいずれか一項に記載のシステム。
【請求項１５】
前記区域または組み立てられた前記アーチ形区分は、特に二層の補強材を用いる、鉄筋コンクリートから少なくとも部分的に作られる、請求項１３または１４に記載のシステム。
【請求項１６】
前記マイクロトンネルの断面における最大内部寸法、特に内径は、１．５ｍから４ｍの間であり、好ましくは、２．５ｍから４ｍの間である、請求項１から１５のいずれか一項に記載のシステム。
【請求項１７】
前記マイクロトンネルは、２０ｍまたは３０ｍ以上の深さに埋設される、請求項１から１６のいずれか一項に記載のシステム。
【請求項１８】
前記コンテナ（３）のうちの少なくとも１つは、互いから独立して開閉され得る独立した区画室を有する、請求項１から１７のいずれか一項に記載のシステム。
【請求項１９】
前記交換ステーション（４；６）において、前記シャトル（１７）から荷降ろし、および／または、前記シャトル（１７）に荷積みするためのシステムを備える、請求項５に記載のシステム。
【請求項２０】
前記交換ステーション（４；６）の少なくとも１つの前記シャフトは、マイクロトンネル技術を用いて前記マイクロトンネル（２）をボーリングするときに、加工シャフトとして作用するのに十分な寸法とされる、請求項１から１９のいずれか一項に記載のシステム。
【請求項２１】
全体的な流量管理インテリジェンスを用いずに前記コンテナの輸送を規制するためのシステムを備え、各コンテナおよび／またはその輸送シャトルには、コンテナおよび／またはその前方に配置されたシャトルと前記交換ステーションとの位置特定を可能にする少なくとも１つのセンサが装備され、前記規制システムは、前記コンテナに、交通の負荷に応じて前記コンテナの速度を規制させ、前記交換ステーションに停止させ、かつ潜在的に、前記マイクロトンネルループから故障した車両を取り出すために前記故障した車両を押させることを可能にする、請求項１から２０のいずれか一項に記載のシステム。
【請求項２２】
都市の郊外に、前記都市環境から離れた交換ステーション（６）を備え、これにより輸送の地上手段（８）によって物品を容易に持ち込ませ、および物品を容易に運び出させる、請求項１から２１のいずれか一項に記載のシステム。
【請求項２３】
前記コンテナを輸送するための地上輸送車両を備える、請求項１から２２のいずれか一項に記載のシステム。
【請求項２４】
前記シャトル（１７）は、前記マイクロトンネル内において少なくとも１つのケーブル（４２）によって引っ張られる、請求項５に記載のシステム。
【請求項２５】
前記ケーブルは、前記マイクロトンネルによって形成された前記ループの区域の２つの端部の間に延び、これらの端部は、好ましくは、地上とやりとりする交換ステーション（４）に据え付けられる、請求項２４に記載のシステム。
【請求項２６】
前記シャトル（１７）は、前記マイクロトンネルによって形成された前記ループ内の前記シャトル（１７）の行程の間、第１のケーブルによって前記シャトル（１７）が移動させられるループの第１の区域（１０７ａ）から、前記第１のケーブルと異なる第２のケーブルによって前記シャトル（１７）が移動させられるループの第２の区域（１０７ｂ）へと通過するように構成され、前記第１の区域から前記第２の区域への移行は、交換ステーション（６）内で行われる、請求項５を含む請求項１から２５のいずれか一項に記載のシステム。
【請求項２７】
各交換ステーションは、その目的地に到着したシャトルの内容物の少なくとも一部を、前記交換ステーションに到着したシャトルから荷下ろしし、この内容物を地上へと再び上昇させるように構成される、請求項５を含む請求項１から２６のいずれか一項に記載のシステム。
【請求項２８】
輸送される前記物品は、パレットにおいて梱包される、請求項１から２７のいずれか一項に記載のシステム。
【請求項２９】
少なくとも１つの交換ステーションは、シャトル（１７）を担持する軌道の一部分（９０）を、前記輸送ループから来る新たなシャトルを受け入れるための位置であって、前記軌道の一部分（９０）が前記マイクロトンネル内に延在する前記軌道に連続して延びる位置と、前記シャトルによって輸送される１つ以上のコンテナ（３）をリフト（６０）へと荷降ろしさせるか、または、輸送するために前記シャトル（１７）に１つ以上の新たなコンテナ（３）を受け入れさせる、荷積み／荷降ろし軌道（９１）への切り替えの位置と、の間を輸送させるための機構を備える、請求項５を含む請求項１から２８のいずれか一項に記載のシステム。
【請求項３０】
少なくとも１つの交換ステーションは、前記ループを形成する前記マイクロトンネルの２つの区域（１０７ａ、１０７ｂ）を連結し、前記２つの区域は、それらの間にゼロでない角度を形成する異なった方向に向けられている、請求項１から２９のいずれか一項に記載のシステム。
【請求項３１】
前記区域（１０７ａ、１０７ｂ）は真っ直ぐである、請求項３０に記載のシステム。
【請求項３２】
少なくとも１つの交換ステーションは、少なくとも１つのシャトルがそれ自体を位置決めできる軌道（９５）の可動部分を担持する回転台（９６）を備え、前記回転台は、前記可動軌道が、シャトルを載せるための軌道と一列になる位置と、前記可動軌道が、進路を決められるマイクロトンネルの隣の区域の前記軌道と一列になる位置と、を取ることができる、請求項５を含む請求項１から３１のいずれか一項に記載のシステム。
【請求項３３】
前記交換ステーションは前記ループ上に配置され、前記システムは、前記ループ内に供給されかつ前記ループ（７）上に配置された前記交換ステーション（４）を用いて流通される物品を整理するための、少なくとも１つの注文ステーション（６）を備え、前記少なくとも１つの注文ステーション（６）は、少なくとも１つの二方向輸送ラインによって前記ループに、特に前記ループの少なくとも１つの交換ステーションに連結される、請求項１から３２のいずれか一項に記載のシステム。
【請求項３４】
前記輸送ラインは、コンテナもしくはシャトルが二方向に循環するトンネル、または前記コンテナもしくはシャトルが反対の方向に循環する２つのマイクロトンネルを備える、請求項３３に記載のシステム。
【請求項３５】
前記マイクロトンネルは、４０ｍ以上の深さに埋設される、請求項１７に記載のシステム。
【請求項３６】
請求項１から３５のいずれか一項に定められるようなシステム（１）を使用して、都市環境において物品を流通させるための方法であって、
ａ）  輸送の地上手段（８）によって物品を交換ステーション（６）へと持ち込むステップであって、これらの物品は、少なくとも１つのコンテナ内に収容されている、持ち込むステップと、
ｂ）  前記コンテナを前記マイクロトンネル（２）へと降下させるステップと、
ｃ）  地上とやりとりする別の交換ステーション（４）まで、前記コンテナを前記マイクロトンネル（２）内において循環させるステップであって、前記コンテナは、前記マイクロトンネル内を一定方向に循環する、循環させるステップと、
ｄ）  前記コンテナを地上へと再び上昇させるステップと、
ｅ）  前記前記コンテナを、または前記コンテナ内に収容された前記物品の全部もしくは一部を取り上げるステップと、
ｆ）  前記コンテナ、または完全な前記コンテナもしくは前記コンテナを梱包するときにあらかじめ構築された要素の部分セット、を荷受人へと送るステップと、
を含む、方法。
【請求項３７】
前記コンテナ（３）は、特に前記コンテナまたは前記コンテナに収容された前記物品を取り上げる要求を待つ間に、地上へと再び上昇させられることなく前記交換ステーション（４）において収容されたままであり、特に前記交換ステーションの前記シャフト（１０）において保管される、請求項３６に記載の方法。
【請求項３８】
前記物品は、主に請求項３３または３４に記載の輸送ラインを介して前記輸送ループへと投入される、請求項３６または３７に記載の方法。